(57)【要約】      （修正有）【課題】取付孔に対してケース本体を左右方向にわずかに動かすこと、すなわち、左右方向の位置調整ができるようにした扉用ロック装置を提供する。【解決手段】扉Ｂに形成された取付孔ｂに装着させ得るケース本体に、ピンを介して回動して出没自在のストッパレバー３を備える。ストッパレバー３の出没状態を維持するように付勢する板ばねからなるバネを備える。取付孔ｂを前記ケース本体よりも左右方向にわずかに大きくする。取付孔ｂに対してケース本体を左右方向にわずかに動かすこと、すなわち、左右方向の位置調整ができる。したがって、扉Ｂを配置する方立などの縦桟あるいは扉Ｂ付近の建付けが悪い場合でも、取付孔ｂに対してケース本体を左右方向にわずかに動かして、すなわち、左右方向の位置調整をすることにより、扉用ロック装置Ａのストッパレバー３を縦桟あるいは扉Ｂの正規の位置で係合させることができる。【選択図】図４
0003192403.tif 000002
【実用新案登録請求の範囲】
【請求項１】
引戸その他の扉に形成された取付孔に装着させ得るケース本体に、ピンを介して回動して出没自在のストッパレバーを備えるとともに、前記ストッパレバーの出没状態を維持するように付勢するバネを備えたものにおいて、前記取付孔を前記ケース本体よりも左右方向にわずかに大きくしたことを特徴とする扉用ロック装置。
【請求項２】
取付孔にケース本体を装着した場合において、前記取付孔と前記ケース本体との間に形成される隙間を覆い隠すべく、カバー部材を取り付けることを特徴とする請求項１記載の扉用ロック装置。
【請求項３】
バネが板ばねであって、その一部をストッパレバーの２つの係合部のいずれか一方に係合させ得るような山型形状にすることを特徴とする請求項１記載の扉用ロック装置。
【請求項４】
ストッパレバーが外方に突出する状態を解除し得る解除レバーを、上下方向にスライド自在に備えたことを特徴とする請求項１又は３記載の扉用ロック装置。
【請求項５】
取付孔が貫通孔ではなくて窪みからなる孔であり、この孔の開口側から装着したケース本体に、ピンを介して回動して出没自在のストッパレバーを備えるとともに、前記ストッパレバーの出没状態を維持するように付勢するバネを備えたことを特徴とする請求項１記載の扉用ロック装置。
【考案の詳細な説明】
【技術分野】
【０００１】
本考案は、引戸その他の扉に形成された取付孔に装着させ得るケース本体に、ピンを介して回動して出没自在のストッパレバーを備えるとともに、前記ストッパレバーの出没状態を維持するように付勢するバネを備えた扉用ロック装置の改良に関するものである。
【背景技術】
【０００２】
引戸その他の扉用ロック装置として様々なものが、すでに提案されている（例えば、特許文献１、２参照）。
【先行技術文献】
【特許文献】
【０００３】
【特許文献１】特開２００６−２９９６７９号公報（特許請求の範囲、図１等参照）
【０００４】
【特許文献２】実願昭５９−７６２３９号（実開昭６０−１８７２７０号）のマイクロフィルム（実用新案登録請求の範囲、第１図、第２図、第４図等参照）
【考案の概要】
【考案が解決しようとする課題】
【０００５】
これら従来の場合にあっては、引戸その他の扉に形成された取付孔にケース本体が左右隙間無く装着されている。従って、取付孔に対してケース本体を左右方向にわずかに動かすこと、すなわち、左右方向の位置調整ができない。
【０００６】
ところが、引戸その他の扉を配置する方立などの縦桟付近あるいは扉の建付けが悪いときがあり、この場合には、取付孔に対してケース本体を左右方向にわずかに動かして左右方向の位置調整をしなければならないときがある。左右方向の位置調整が全くできないと、扉用ロック装置が縦桟あるいは扉の正規の位置で係合しないからである。
【０００７】
本考案は、このような場合において、取付孔に対してケース本体を左右方向にわずかに動かすこと、すなわち、左右方向の位置調整ができるようにしたものである。
【課題を解決するための手段】
【０００８】
この目的を達成するために、本考案では、引戸その他の扉に形成された取付孔に装着させ得るケース本体に、ピンを介して回動して出没自在のストッパレバーを備えるとともに、前記ストッパレバーの出没状態を維持するように付勢するバネを備えたものにおいて、前記取付孔を前記ケース本体よりも左右方向にわずかに大きくしたものである。
【０００９】
この扉用ロック装置を用いた場合には、取付孔に対してケース本体を左右方向にわずかに動かすこと、すなわち、左右方向の位置調整ができるので、扉を配置する方立などの縦桟付近の建付けが悪い場合でも、取付孔に対してケース本体を左右方向にわずかに動かして、すなわち、左右方向の位置調整をすることにより、扉用ロック装置を縦桟あるいは扉の正規の位置で係合させることができる。
【００１０】
取付孔にケース本体を装着した場合において、前記取付孔と前記ケース本体との間に形成される隙間を覆い隠すべく、カバー部材を取り付けることが望ましい。このようにした場合には、前記取付孔と前記ケース本体との間に形成される隙間をカバー部材で覆い隠すことができるので、外見上極めて体裁が良い。
【００１１】
バネが板ばねであって、その一部をストッパレバーの２つの係合部のいずれか一方に係合させ得るような山型形状にすることが望ましい。このようにした場合には、板ばねの山型部分でストッパレバーの２つの係合部のいずれか一方を押すので、ストッパレバーがケース本体内に納まった状態とケース本体から外方に突出した状態とを保持することができる。また、ストッパレバーの２つの係合部が板ばねの山型部分を乗り越えて回動するため、ストッパレバー移動時にクリック感が出る。
【００１２】
ストッパレバーが外方に突出する状態を解除し得る解除レバーを、上下方向にスライド自在に備えたものとすることが望ましい。このようにした場合には、解除レバーを上下方向にスライドさせることにより、ストッパレバーがケース本体内に納まった状態とケース本体から外方に突出した状態を維持することができる。
【００１３】
取付孔が貫通孔ではなくて窪みからなる孔であり、この孔の開口側から装着したケース本体に、ピンを介して回動して出没自在のストッパレバーを備えるとともに、前記ストッパレバーの出没状態を維持するように付勢するバネを備えたものとすることが望ましい。この場合には、引戸その他の扉に形成された窪みからなる孔に、片面から本扉用ロック装置を取り付けることができるので、片面取り付けの面で極めて有利である。
【考案の効果】
【００１４】
請求項１記載の扉用ロック装置を用いた場合には、取付孔に対してケース本体を左右方向にわずかに動かすこと、すなわち、左右方向の位置調整ができるので、扉を配置する方立などの縦桟あるいは扉付近の建付けが悪い場合でも、取付孔に対してケース本体を左右方向にわずかに動かして、すなわち、左右方向の位置調整をすることにより、扉用ロック装置を縦桟あるいは扉の正規の位置で係合させることができる。
【００１５】
請求項２記載の考案によれば、前記取付孔と前記ケース本体との間に形成される隙間をカバー部材で覆い隠すことができるので、外見上極めて体裁が良い。
【００１６】
請求項３記載の考案によれば、板ばねの山型部分でストッパレバーの２つの係合部のいずれか一方を押すので、ストッパレバーがケース本体内に納まった状態とケース本体から外方に突出した状態とを保持することができる。また、ストッパレバーの２つの係合部が板ばねの山型部分を乗り越えて回動するため、ストッパレバー移動時にクリック感が出る。
【００１７】
請求項４記載の考案によれば、解除レバーを上下方向にスライドさせることにより、ストッパレバーがケース本体内に納まった状態とケース本体から外方に突出した状態を維持することができる。
【００１８】
請求項５記載の考案によれば、引戸その他の扉に形成された窪みからなる孔に、片面から本扉用ロック装置を取り付けることができるので、片面取り付けの面で極めて有利である。
【図面の簡単な説明】
【００１９】
【図１】本考案による扉用ロック装置の一例を示す分解斜視図である。
【図２】図１に示す扉用ロック装置を扉の取付孔に装着する様子を示す分解斜視図で、(a)は全体図、(b)はその一部の拡大図、(c)は(b)とは逆の方向から見た場合の拡大図である。
【図３】図１に示す扉用ロック装置を扉の取付孔に装着した場合のロック作動時とロック解除時の斜視図で、(a)はロック作動時（ストッパレバーがケース本体から外方に突出した場合）の全体斜視図、(b)はその一部の拡大斜視図、(c)はロック解除時（ストッパレバーがケース本体内に納まった場合）の拡大斜視図である。
【図４】図１に示す扉用ロック装置を扉に形成された取付孔に装着する場合の左右方向の位置調整状況を示す図で、(a)は左右方向の位置調整後の全体斜視図、(b)はその一部を拡大して示す斜視図、(c)は左右方向の位置調整状況を説明するための図である。
【図５】扉用ロック装置の組立状態を示す断面図で、(a)はロック作動時（ストッパレバーがケース本体から外方に突出した場合）を、(b)はロック解除時（ストッパレバーがケース本体内に納まった場合）を示す。
【図６】図１に示す扉用ロック装置とは異なる別の扉用ロック装置の分解斜視図である。
【図７】本考案による扉用ロック装置を備えた扉の施工状態の一例を示す概略平面図で、(a)はアウトセットの場合を、(b)はインセットの引違い扉の場合を、(c)は収納扉の場合を示す。
【考案を実施するための形態】
【００２０】
本考案を実施するための形態について、図面を参照しながら詳細に説明する。
本考案による扉用ロック装置Ａの基本構成は、引戸その他の扉Ｂに形成された取付孔ｂに装着させ得るケース本体１に、ピン２を介して回動して出没自在のストッパレバー３を備えるとともに、前記ストッパレバー３の出没状態を維持するように付勢するバネ４を備えたものである。
【００２１】
そして、前記取付孔ｂを前記ケース本体１よりも左右方向にわずかに大きくしたものとする。すなわち、図４(c)に示すように、扉Ｂに形成された取付孔ｂとこの取付孔ｂに装着するケース本体１との端面間に、左右Ｘ，Ｘだけの隙間（例えば、左右とも３ｍｍ）ができるようにする。このようにすると、この取付孔ｂに前記ケース本体１を装着する際に、現物合わせでケース本体１の左右方向の位置調整が可能となる。
【００２２】
なお、ケース本体１の上下には、本固定用のビスＣを挿通するための孔１Ｃ，１Ｃが形成されている。
【００２３】
本考案による扉用ロック装置Ａをより具体的に説明すると、方形枠状のケース本体１の上下に形成した２つの孔１ａ，１ａとストッパレバー３の上下に形成した２つの孔３ａ，３ａを同軸状に位置させ、同軸状の孔１ａ，３ａ，３ａ，１ａに１本のピン２を差し込んで、前記ケース本体１内に位置するストッパレバー３を当該ケース本体１の片面から出没するように取り付ける。
【００２４】
一方、ケース本体１のもう一方の面、すなわち、前記ストッパレバー３が出没する側とは反対側の面には、板ばねからなるバネ４をネジ４ａにより取り付ける。そして、この板ばねからなるバネ４の一部を、前記ストッパレバー３から前記バネ４側に突出させた凸部３ｂのうちの２つの係合部３ｂ１，３ｂ２のいずれか一方に係合させ得るような山型形状にする。したがって、バネ４の山型部分４ｂがストッパレバー３の凸部３ｂのうちの係合部３ｂ１を押している場合には、図５(b)に示すように、ストッパレバー３がケース本体１内に納まった状態、すなわち、ロック解除状態とすることができる。これに対して、バネ４の山型部分４ｂがストッパレバー３の凸部３ｂのうちの係合部３ｂ２を押している場合には、図５(a)に示すように、ストッパレバー３がケース本体１から外方に突出した状態、すなわち、ロック状態とすることができる。なお、ストッパレバー３を扉Ｂから見えている側から手指で操作することにより、上記ロック状態としたり、ロック解除状態とすることができる。
【００２５】
また、図１に示す扉用ロック装置Ａは、同図に示すように、前記ケース本体１と抱き合わせ得る蓋板状の補助ケース５を備えており、この補助ケース５は左右２本のネジ４ｃ，４ｃにより前記ケース本体１に結合することができる。そして、前記ケース本体１と前記補助ケース５との間には解除レバー６が配置されており、前記補助ケース５に２本のネジ７ａ，７ａで均等に取り付けられたガイドプレート７の縦長状のガイド孔７ｂに沿って、前記解除レバー６を上下方向にスライドさせ得るようにしてある。このようにした場合には、解除レバー６を上下方向にスライドさせることにより、ストッパレバー３がケース本体１内に納まった状態とケース本体１から外方に突出した状態を維持することができる。
【００２６】
解除レバー６の端面には摘み６ａが突出させてあり、この摘み６ａを前記補助ケース５に形成した横長状の窓孔５ａから外部に臨ませてある。摘み６ａを手指でつまんで上下に動かすと、ケース本体１と補助ケース５の間に位置する解除レバー６を上下に動かすことができる。なお、この操作は、摘み６ａ及び補助ケース５が扉Ｂから見えている側から、すなわち、ストッパレバー３が見えている側とは反対側から、手指で行うことができる。
【００２７】
さらに、前記ストッパレバー３と前記解除レバー６とを、１本のピン８で連係させてある。ここでは、ストッパレバー３に垂直方向に取り付けたピン８の先端が前記解除レバー６の二股部材からなる溝６ｂに係入させてある。したがって、解除レバー６を上下方向にスライドさせることにより、ピン８を介してストッパレバー３がピン２を中心として回動し、ストッパレバー３をケース本体１から外方に突出した状態としたり、ストッパレバー３をケース本体１内に納まった状態とすることができる。
【００２８】
さらに、本考案による扉用ロック装置Ａはカバー９を備えている。このカバー９は前記扉Ｂに形成された取付孔ｂに装着するケース本体１に嵌着することができるものである。このカバー９を前記ケース本体１に嵌着することにより、前記取付孔ｂを前記ケース本体１よりも左右方向にわずかに大きくした部分、すなわち、図４(c)に示すように、扉Ｂに形成された取付孔ｂとこの取付孔ｂに装着するケース本体１との端面間に形成される左右方向の隙間Ｘ，Ｘが見えるのを覆い隠すことができるので、外観上体裁が良い。
【００２９】
本扉用ロック装置Ａは上述したように扉Ｂの取付孔ｂに、すなわち、前記ケース本体１よりも左右方向にわずかに大きくした取付孔ｂに装着される。この場合において、現物合わせでケース本体１の左右方向の位置調整を行い、次いで、本固定用のビスＣを孔１Ｃに差し込んで本固定する。かくして、本扉用ロック装置Ａを扉Ｂの取付孔ｂに装着することができ、最後に、前記カバー９を嵌め込めば良い。
【００３０】
このようにして扉Ｂの取付孔ｂに装着された本扉用ロック装置Ａのロック作動時（ストッパレバー３がケース本体１から外方に突出した場合）を、図３(a)、図３(b)、図４(a)、図４(b)及び図５(a)に示す。この場合には、ケース本体１から外方に突出しているストッパレバー３が、図３(a)、図３(b)、図７(b)及び図７(c)に示すように、２枚あるいは３枚の扉のうちの一方の扉Ｂを他方の扉Ｂに、あるいは、図７(a)に示すように、１枚の扉Ｂを方立などの縦桟Ｅに係合し、ロック作動状態とすることができる。
【００３１】
また、ロック解除時（ストッパレバー３がケース本体１内に納まった場合）を、図３(c)、図５(b)示す。この場合には、ストッパレバー３がケース本体１内に納まっているので、上記ロック状態が解除され、扉Ｂを開閉することができる。
【００３２】
なお、ストッパレバー３を扉Ｂから見えている側から手指で操作することにより、上記ロック状態としたり、ロック解除状態とすることができる。また、摘み６ａ及び補助ケース５を扉Ｂから見えている側から、すなわち、ストッパレバー３が見えている側とは反対側から、手指で操作することにより、上記ロック状態としたり、ロック解除状態とすることもできる。
【００３３】
この場合において、板ばねからなるバネ４の山型部分４ｂでストッパレバー３の２つの係合部３ｂ１，３ｂ２のいずれか一方を押すので、ストッパレバー３がケース本体１内に納まった状態とケース本体１から外方に突出した状態とを保持することができる。また、ストッパレバー３の凸部３ｂの２つの係合部３ｂ１，３ｂ２が板ばねからなるバネ４の山型部分４ｂを乗り越えて回動するため、ストッパレバー３移動時にクリック感が出る。
【００３４】
上述の例では、補助ケース５、解除レバー６、ガイドプレート７を有する場合について説明したが、図６に示すように、これらを有さない場合についても本考案を適用することができる。ただし、他の部分の構成は、上で説明した場合と同様である。この場合には、取付孔ｂが貫通孔ではなくて窪みからなる孔であり、この孔に片面から本扉用ロック装置を取り付けることができるので、片面取り付けの面で極めて有利である。
【００３５】
なお、図２〜図４及び図７(a)〜(c)における符号ｂ’は、扉Ｂに取り付けられた取手である。
【符号の説明】
【００３６】
１…ケース本体、１ａ…孔、２…ピン、３…ストッパレバー、３ａ…孔、３ｂ…突部、３ｂ１，３ｂ２…係合部、４…バネ、４ｂ…山型部分、５…補助ケース、６…解除レバー、９…カバー、Ａ…扉用ロック装置、Ｂ…扉、ｂ…取付孔、Ｃ…本固定用のビス、１Ｃ…孔、Ｅ…縦桟、Ｘ…隙間。
【図１】
0003192403.tif 000003
【図２】
0003192403.tif 000004
【図３】
0003192403.tif 000005
【図４】
0003192403.tif 000006
【図５】
0003192403.tif 000007
【図６】
0003192403.tif 000008
【図７】
0003192403.tif 000009